(57)【要約】【課題】  再印刷処理において、同じ元ファイルのプリントデータを利用する際に、プリントデータと使用者の要求する解像度、印字方向などが異なる場合に、画像変換処理（拡大、縮小処理）などを行うと、画像処理に時間がかかると共に、再印刷時の画像の品位が落ちるという問題を解決する。【解決手段】  ・プリントデータ貯蔵部にプリントデータを格納時に、元データを判別する情報、及びプリント設定情報を一緒に保存する手段と、  ・再印刷実行時に、プリント設定を指定する手段と、  ・再印刷実行時に、元データ、プリント設定情報から、プリントデータを検索する手段と、  ・再印刷の実行時に、元データが同じプリントデータの中から、最適プリント条件のものを選択する手段と、  を備えて、再印刷の実行時に、最適プリント条件のプリントデータに限定して再印刷処理を行う。【選択図】  図７
2007188227.tif 000002
【特許請求の範囲】
【請求項１】
プリントデータの再利用を行う画像処理システムにおいて
プリントデータを格納時に、元データを判別する情報、及びプリント設定情報を一緒に保存する手段と、
再印刷実行時に、プリント設定を指定する手段と、
再印刷実行時に、元データ、プリント設定情報から、プリントデータを検索する手段と、
再印刷の実行時に、元データが同じプリントデータの中から、あるプリント条件のものを選択する手段と、を備える画像処理システムにおいて、
再印刷の実行時に、前記選択プリント条件のプリントデータに限定して再印刷処理を行う事を特徴とする画像処理システム。
【請求項２】
ユーザ識別手段と、
ユーザごとに、印刷処理が許可されているかどうかを保存する記録手段と、
を備える画像処理システムにおいて、
再印刷の実行時に、元データが同じプリントデータがプリントデータ保存手段に保存されていなかった場合に、印刷処理が許可されているユーザのみ印刷処理を行えることを特徴とした項1記載の画像処理システム。
【請求項３】
印刷処理のプリントデータの上限値を保存する記録手段を備える画像システムにおいて、
再印刷の実行時に、元データが同じプリントデータがプリントデータ保存手段に保存されていなかった場合に、再印刷処理のプリントデータサイズが上限値を超えない場合に印刷処理を行えることを特徴とした項1及至項２記載の画像処理システム。
【発明の詳細な説明】
【技術分野】
【０００１】
本願発明は、複写機などのプリントを実行する画像処理システムでプリントデータの再利用に関する。
【背景技術】
【０００２】
かかるオフィス環境では、ネットワーク対応型複写機において、あるユーザ印刷した際のプリントデータや解像度、両面などのレイアウト情報、色情報などのプリント設定情報を保存しておき、印刷処理を行ったプリント設定をユーザに提示して、前回と同じ印刷処理を簡単なオペレーションで実施する従来例として、特開２００３―１２７４７３、及び特開２００４―１０２６０２に記載されたものがある。
【特許文献１】特開２００３―１２７４７３号公報
【特許文献２】特開２００４−１０２６０２号公報
【発明の開示】
【発明が解決しようとする課題】
【０００３】
しかしながら、現在のオフィス環境では、プリントデータの高解像度化、カラー化などが一段と進み、結果としてプリントデータのデータサイズが非常に大きくなっている。
【０００４】
そこで上記従来の再印刷処理において、プリントデータサイズの増大によりプリントデータの保存数が制限されるという問題がある。
【０００５】
また、保存されているプリントデータに対して使用者が異なるプリント設定を指示した際の画像データの変更処理による複写機の負荷が増大し、かつ再処理による印刷品位の劣化が発生するという問題がある。
【課題を解決するための手段】
【０００６】
本発明は、上記問題を解決するためになされたもので、
プリントデータの再利用を行う画像処理システムにおいて
プリントデータを格納時に、元データを判別する情報、及びプリント設定情報を一緒に保存する手段と、
再印刷実行時に、プリント設定を指定する手段と、
再印刷実行時に、元データ、プリント設定情報から、プリントデータを検索する手段と、
再印刷の実行時に、元データが同じプリントデータの中から、最適プリント条件のものを選択する手段と、を備える画像処理システムにおいて、
再印刷の実行時に、最適プリント条件のプリントデータに限定して再印刷処理を行う事を特徴とする画像処理システムを提供することを目的とする。
【発明の効果】
【０００７】
以上説明したように、本発明によれば、
同じ元データのプリントデータの再印刷を実行する際に、最適なプリントデータをユーザに選択させることにより、再印刷処理による負荷を軽減し、余分なプリントデータの保存を抑制することが可能となる。
【発明を実施するための最良の形態】
【０００８】
（実施例１）
以下、図面を用いて本発明の第１実施例について説明する。
【０００９】
図１は本発明の一実施形態であるネットワーク対応型複写機を含むネットワーク画像処理システムの概略構成を示す図である。
【００１０】
図１においてクライアント３０およびクライアント４０は、ＬＡＮ２０を介して複写機１０と接続している。複写機１０では、クライアント３０あるいはクライアント４０から送付されたプリントデータの印刷処理を実現すると共に、プリントデータの保存処理も実行する。
【００１１】
＜ハードウエア構成＞
図２は、複写機（ＭＦＰ）１０のハードウェアの内部構成を示したものである。
【００１２】
図２において、１０は複写機全体である。複写機１０は、ＲＯＭ４０２あるいは例えばハードディスクなどの大規模記憶装置４１１に記憶されたソフトウェアを実行するＣＰＵ４０１を備え、システムバス４０４に接続される各デバイスを総括的に制御する。４０３はＲＡＭで、ＣＰＵ４０１の主メモリ、ワークエリア等として機能する。４１２はタイマで、複写機１０内で現在時刻を認識するためのカウント処理を行う。
【００１３】
４０５は外部入力コントローラ（ＰＡＮＥＬＣ）で、複写機に備えられた各種ボタンあるいはタッチパネル４０９等からの指示入力を制御する。４０６はディスプレイコントローラ（ＤＩＳＰＣ）で、例えば液晶ディスプレイなどで構成される表示モジュール（ＤＩＳＰＬＡＹ）４１０の表示を制御する。４０７はディスクコントローラ（ＤＫＣ）で、例えばハードディスクなどの大規模記憶装置４１１へのデータの読み取り、書込み処理を制御する。４０８はネットワークインタフェースカード（ＮＩＣ）で、ＬＡＮ２０を介して、他のネットワーク機器あるいはファイルサーバ等と双方向にデータをやりとりする。
【００１４】
４１３はスキャナコントローラ（ScannerC）で、原稿画像を図示しない光源で照射し、原稿反射像をレンズで固体撮像素子上に結像し、固体撮像素子からラスター状の画像読み取り信号をイメージ情報として得るスキャナ（Scanner）４１４の読み取り処理を制御する。４１５はプリンタコントローラ（PrinterC）で、前述のスキャナ４１４で読み取った画像情報やＬＡＮ２０を介して外部から送付された画像情報を印刷処理するプリンタ４１６の印刷処理を制御する。
【００１５】
図３は、クライアント３０のハードウェアの内部構成を示したものである。クライアント４０も同様の構成を持っており説明は省略する。
【００１６】
図３において、３０はクライアント全体である。クライアント３０は、ＲＯＭ５０２あるいは例えばハードディスクなどの大規模記憶装置５１１に記憶されたソフトウェアを実行するＣＰＵ５０１を備え、システムバス５０４に接続される各デバイスを総括的に制御する。５０３はＲＡＭで、ＣＰＵ５０１の主メモリ、ワークエリア等として機能する。５１２はタイマで、クライアント３０内で現在時刻を認識するためのカウント処理を行う。
【００１７】
５０５は外部入力コントローラ（ＰＡＮＥＬＣ）で、外部に接続された例えばキーボードなどの入力インターフェース手段５０９等からの指示入力を制御する。５０６はディスプレイコントローラ（ＤＩＳＰＣ）で、外部に接続された例えば液晶ディスプレイなど表示モジュール（ＤＩＳＰＬＡＹ）５１０の表示を制御する。５０７はディスクコントローラ（ＤＫＣ）で、例えばハードディスクなどの大規模記憶装置５１１へのデータの読み取り、書込み処理を制御する。５０８はネットワークインタフェースカード（ＮＩＣ）で、ＬＡＮ２０を介して、他のネットワーク機器あるいはファイルサーバ等と双方向にデータをやりとりする。
【００１８】
＜システム構成＞
図４は、複写機（ＭＦＰ）１０のシステムの内部構成を示したものである。
【００１９】
図４において、１０は複写機全体である。複写機１０は中央制御部４５０を備え、記録部４５１、ＵＩ制御部４５３、デバイス制御部４５４、外部通信制御部４５５および検索処理部４５６が接続されている。
【００２０】
記録部４５１は、大規模記憶装置４１１で構成され、印刷処理を行った際にプリントデータを保存するデータ記録部４５９と、プリントデータに付加されたプリントデータの元データを特定するためのファイル名、作成日付、更新日付、ファイルサイズなどの元データ特定情報、および解像度、印字方向、色情報などのプリント設定情報を、プリントデータ記録部４５９に保存されたプリントデータと関連付けて保存するインデックス記録部４５２を含む。また、検索処理部４５６は、大規模記憶装置４１１内の各種情報あるいはデータから特定の条件により検索処理を実施するものであり、本発明ではインデックス記録部４５２に保存されているプリントデータから元ファイルを特定する情報をもとに、プリントデータ保存部４５９に保存されているプリントデータを検索、特定するために用いられる。
【００２１】
ＵＩ制御部４５３は、複写機に備えられた各種ボタンあるいはタッチパネル４０９等からの指示入力を制御する外部入力コントローラ（ＰＡＮＥＬＣ）４０５および液晶ディスプレイなどで構成される表示モジュール（ＤＩＳＰＬＡＹ）４１０の表示を制御するディスプレイコントローラ（ＤＩＳＰＣ）４０６で構成される。
【００２２】
デバイス制御部４５４は、印刷物を読み込むためのスキャナ４１３と印刷物を出力するためのプリンタ４１５を制御する。
【００２３】
外部通信制御部４５５は、ＬＡＮ２０を介して、他のネットワーク機器と双方向にデータのやりとりを制御するネットワークインタフェースカード（ＮＩＣ）４０８で構成される。
【００２４】
図５は、クライアント３０のシステムの内部構成を示したものである。クライアント４０も同様の構成を持っており説明は省略する。
【００２５】
図５において、３０はクライアント全体である。クライアント３０は中央制御部５５０を備え、記録部５５１、ＵＩ制御部５５３および外部通信制御部５５５が接続されている。
【００２６】
記録部５５１は、大規模記憶装置５１１で構成される。
【００２７】
ＵＩ制御部５５３は、キーボード５０９等からの指示入力を制御する外部入力コントローラ（ＰＡＮＥＬＣ）５０５および液晶ディスプレイなどで構成される表示モジュール（ＤＩＳＰＬＡＹ）５１０の表示を制御するディスプレイコントローラ（ＤＩＳＰＣ）５０６で構成される。
【００２８】
外部通信制御部５５５は、ＬＡＮ２０を介して、他のネットワーク機器と双方向にデータのやりとりを制御するネットワークインタフェースカード（ＮＩＣ）５０８で構成される。
【００２９】
＜プリント設定情報管理テーブル＞
図６は、本発明の、複写機１０の記録部４５１内のインデックス記録部４５２に保存されたプリント設定情報のデータ構造概念テーブルであるプリント設定情報管理テーブル６００、複写機１０の記録部４５１内のインデックス記録部４５２に保存されたプリント設定項目の優先順位を管理するデータ構造概念テーブルである優先順位管理テーブル６１０、及び元データ特定情報，プリント設定情報の検索結果からクライアント３０のＵＩ制御部を用いて表示される検索結果画面６２０をそれぞれ示したものである。プリント設定情報管理テーブル６００、および優先順位管理テーブル６１０は本発明の説明においてはテーブル構造をとっているが、必ずしもテーブル構造である必要はない。
【００３０】
図６において、プリント設定情報管理テーブル６００に格納されたプリント設定情報ＰＳ６０１、ＰＳ６０２、ＰＳ６０３、ＰＳ６０４として、記録部４５１内のインデックス記録部４５２に保存された元データ特定情報を特定するためのＩＤ番号、記録部４５１内のプリントデータ記録部４５９に保存されたプリントデータを特定するためのＩＤ番号、プリント設定情報がそれぞれ保存されている。本実施例では一例としてプリント設定情報として解像度、レイアウト、色情報の情報が保存されている。
【００３１】
優先順位管理テーブル６１０において、プリント設定情報管理テーブル６００で管理しているプリント設定情報について、後述する本発明の再印刷処理において、どのプリント設定項目をユーザが指定した設定に近いかを検索するかを示す優先順位が、本システムの管理者、あるいはユーザによって指示され、結果が保存されている。本実施例では一例として「解像度」に優先順位１が、「レイアウト」に優先順位３が、「色情報」に優先順位２が設定されている。
【００３２】
ここで、ユーザが再印刷処理を実行する際に、一例として、ユーザが選択したファイルが元データがＩＤ番号「００３３９」で保管されているものと等しく、プリント設定の「解像度」に「400dpi」を、「レイアウト」に「1in1、片面」を、「色情報」に「モノクロ」を設定した場合に、複写機１０は、最初に、プリント設定情報管理テーブル６００内の情報から元データが等しい情報として、元データ特定情報のＩＤ番号を比較して、「００３３９」と等しいＰＳ６０１、ＰＳ６０２、ＰＳ６０４が検索される。
【００３３】
次に優先順位管理テーブル６１０の優先順位に従って、優先順位１の「解像度」について、ユーザが設定した「４００dpi」に近い順に検索結果を並べ替えると、ＰＳ６０２、ＰＳ６０４、ＰＳ６０１の順になる。ただし、ＰＳ６０２とＰＳ６０４の「解像度」の値は「３００dpi」と同じ値であるため、優先順位２の「色情報」について、ユーザが設定した「モノクロ」と同じかどうかを比較すると、ＰＳ６０２のみ「色情報」に「モノクロ」が設定されており、最終的な順位がＰＳ６０２、ＰＳ６０４、ＰＳ６０１の順となる。
【００３４】
最後に、複写機１０は、再印刷の対象となるプリントデータの検索結果を優先順位に従って並べ替えた順序でクライアント３０に送付する。クライアント３０は、外部通信制御部５５５を通じて受け取ったプリントデータの検索結果を、ＵＩ制御部５５３を使用して検索結果画面６２０を表示する。
【００３５】
結果として、ユーザに表示される検索結果画面６２０は、管理者あるいはユーザが指定したプリント設定項目の優先順位の高い項目から、ユーザが指定したプリント設定情報に近い順序にプリントデータを並べ替えて表示している。
【００３６】
＜再印刷処理＞
以下、本発明の再印刷処理を図７のフローチャートに従って示す。
【００３７】
Ｓ７００１において、ユーザは、クライアント３０のキーボード５０９などを操作して再印刷を行うファイルを選択すると同時に、Ｓ７００２において、ユーザは、解像度、カラーなどの色の選択、１ページあたりのレイアウト数、印刷するページなどの、プリント設定情報を指定し、Ｓ７００３において、クライアント３０は、ユーザを特定するためのユーザ識別情報、ユーザが選択したファイルの元データ特定情報、プリント設定情報とともに、再印刷要求を外部通信制御部５５５を通じて複写機１０に送付する。
【００３８】
Ｓ７００４において、複写機１０は、外部通信制御部４５５を通じてクライアントから受け取った通信を再印刷要求と判断したら、最初に、検索処理部４５６では、クライアント３０から送付された元データ特定情報と一致する内容が、記録部４５１内のインデックス記録部４５２内に保存されているプリントデータの元データ特定情報に含まれているかを、検索する。
【００３９】
＜再印刷用のプリントデータの選択による再印刷＞
Ｓ７００４において、検索した結果、元データが一致するプリントデータがプリントデータ記録部４５９に保存されていた場合には、Ｓ７００５において、ユーザが指定したプリント設定条件と、検索結果のプリントデータのプリント設定とを比較する。プリント設定条件が全て一致するものが存在しない場合には、Ｓ７００６において、複写機１０は、インデックス記録部４５２内に記録されている優先順位管理テーブル６１０にしたがって、優先順位の高いプリント設定項目が近いプリントデータ順に検索結果の順序を並べ替えて、検索結果を外部通信制御部４５５を使用してクライアント３０に送付する。
【００４０】
Ｓ７００７において、クライアント３０は外部通信制御部５５５を通じて受け取った検索結果をＵＩ制御部５５３を使用してユーザに表示して、再印刷に使用するプリントデーの選択を促し、ユーザが入力した選択結果を外部通信制御部５５５を使用して複写機１０に送付する。
【００４１】
Ｓ７００８において、複写機１０は、外部通信制御部４５５を通じてクライアントから受け取ったユーザのプリントデータの選択結果から、ユーザがプリントデータの選択及び再印刷を指示した場合には、Ｓ７００９において、ユーザが選択したプリントデータを使用して、デバイス制御部４５４を使用して印刷処理を実行して、処理を終了する。
【００４２】
Ｓ７００８において、ユーザが再印刷のキャンセルを指示した場合には、処理を終了する。
【００４３】
＜同じプリント設定のプリントデータがある場合の再印刷処理＞
Ｓ７００５において、プリント設定がすべて一致するプリントデータがプリントデータ保存部にあった場合には、Ｓ７００９において、複写機１０は、プリント設定がすべて一致するプリントデータを使用して、デバイス制御部４５４を使用して印刷処理を実行して、処理を終了する。
【００４４】
＜再印刷用のプリントデータがない場合の印刷処理＞
Ｓ７００４において、同じ元データ文書が存在しない場合には、Ｓ７０１０において、複写機１０はユーザ識別情報からユーザを特定して、記録部４５１内の図示しないユーザの印刷処理の許可／禁止情報を保存するユーザポリシィ保存部から、ユーザが印刷処理を行うことが可能かを確認し、ユーザが印刷処理を行うことが不可能であれば、Ｓ７０１５において、印刷処理が不可能であることをクライアント３０に通知する。クライアント３０は、外部通信制御部５５５を通じて印刷不可能であることを受け取ったならば、ユーザに印刷不可能であることをＵＩ制御部５５３を用いて通知する。
【００４５】
Ｓ７０１０において、ユーザが印刷処理可能な場合に、Ｓ７０１１において、複写機１０は指定されたプリント設定情報から、プリントデータサイズを算出し、本システムの管理者などがあらかじめ設定したプリントデータサイズを超えているかどうかを判定し、超えていれば、Ｓ７０１５において、印刷処理が不可能であることをクライアント３０に通知する。クライアント３０は、外部通信制御部５５５を通じて印刷不可能であることを受け取ったならば、ユーザに印刷不可能であることをＵＩ制御部５５３を用いて通知する。
【００４６】
Ｓ７０１１において、プリントデータサイズが本システムの管理者などがあらかじめ設定したプリントデータサイズを超えていなければ、Ｓ７０１２において、複写機１０は外部通信制御部４５５を使用してクライアント３０に画像データの送付を要求する。クライアント３０は外部通信制御部５５５を通じて受け取った画像データの送付要求にしたがって、選択したファイルの印刷用の画像データを作成して、印刷用画像データ、ユーザが選択したファイルの元データ特定情報、プリント設定情報とともに、印刷要求を外部通信制御部５５５を使用して複写機１０に送付する。
【００４７】
Ｓ７０１３において、複写機１０は外部通信制御部４５５を通じて受け取った印刷要求にしたがって、デバイス制御部４５４を使用して、印刷用画像データをプリント設定情報に従って、プリントデータに変換して、印刷処理を実行する。
【００４８】
Ｓ７０１４において、複写機１０は作成したプリントデータを記録部４５１内のプリントデータ記録部４５９に保存すると同時に、元データ特定情報及びプリント設定情報をインデックス記録部に保存して、処理を終了する。
【００４９】
＜印刷処理＞
以下、本発明の印刷処理を図８のフローチャートに従って示す。
【００５０】
Ｓ８００１において、ユーザは、クライアント３０のキーボード５０９などを操作して印刷を行うファイルを選択すると同時に、Ｓ８００２において、ユーザは、解像度、カラーなどの色の選択、１ページあたりのレイアウト数、印刷するページなどの、プリント設定情報を指定し、Ｓ８００３において、クライアント３０は、ユーザを特定するためのユーザ識別情報、ユーザが選択したファイルの元データ特定情報、プリント設定情報とともに、印刷要求を外部通信制御部５５５を通じて複写機１０に送付する。
【００５１】
Ｓ７００４において、複写機１０は、外部通信制御部４５５を通じてクライアントから受け取った通信を再印刷要求と判断したら、最初に、検索処理部４５６では、クライアント３０から送付された元データ特定情報と一致する内容が、記録部４５１内のインデックス記録部４５２内に保存されているプリントデータの元データ特定情報に含まれているかを、検索する。
【００５２】
＜再印刷用のプリントデータによる再印刷＞
Ｓ８００４において、検索した結果、元データが一致するプリントデータがプリントデータ記録部４５９に保存されていた場合には、Ｓ８００５において、ユーザが指定したプリント設定条件と、検索結果のプリントデータのプリント設定とを比較する。プリント設定がすべて一致するプリントデータがプリントデータ保存部にあった場合には、Ｓ８００６において、複写機１０は、プリント設定がすべて一致するプリントデータを使用して、デバイス制御部４５４を使用して印刷処理を実行して、処理を終了する。
【００５３】
＜再印刷用のプリントデータがない場合の印刷処理＞
Ｓ８００４において、同じ元データ文書が存在しない場合、及びＳ８００５でプリント設定がすべて一致するプリントデータが存在しない場合には、Ｓ８００７において、複写機１０はユーザ識別情報からユーザを特定して、記録部４５１内の図示しないユーザの印刷処理の許可／禁止情報を保存するユーザポリシィ保存部から、ユーザが印刷処理を行うことが可能かを確認し、ユーザが印刷処理を行うことが不可能であれば、Ｓ８０１２において、印刷処理が不可能であることをクライアント３０に通知する。クライアント３０は、外部通信制御部５５５を通じて印刷不可能であることを受け取ったならば、ユーザに印刷不可能であることをＵＩ制御部５５３を用いて通知する。
【００５４】
Ｓ８００７において、ユーザが印刷処理可能な場合に、Ｓ８００８において、複写機１０は指定されたプリント設定情報から、プリントデータサイズを算出し、本システムの管理者などがあらかじめ設定したプリントデータサイズを超えているかどうかを判定し、超えていれば、Ｓ８０１２において、印刷処理が不可能であることをクライアント３０に通知する。クライアント３０は、外部通信制御部５５５を通じて印刷不可能であることを受け取ったならば、ユーザに印刷不可能であることをＵＩ制御部５５３を用いて通知する。
【００５５】
Ｓ８００８において、プリントデータサイズが本システムの管理者などがあらかじめ設定したプリントデータサイズを超えていなければ、Ｓ８００９において、複写機１０は外部通信制御部４５５を使用してクライアント３０に画像データの送付を要求する。クライアント３０は外部通信制御部５５５を通じて受け取った画像データの送付要求にしたがって、選択したファイルの印刷用の画像データを作成して、印刷用画像データ、ユーザが選択したファイルの元データ特定情報、プリント設定情報とともに、印刷要求を外部通信制御部５５５を使用して複写機１０に送付する。
【００５６】
Ｓ８０１０において、複写機１０は外部通信制御部４５５を通じて受け取った印刷要求にしたがって、デバイス制御部４５４を使用して、印刷用画像データをプリント設定情報に従って、プリントデータに変換して、印刷処理を実行する。
【００５７】
Ｓ８０１１において、複写機１０は作成したプリントデータを記録部４５１内のプリントデータ記録部４５９に保存すると同時に、元データ特定情報及びプリント設定情報をインデックス記録部に保存して、処理を終了する。
【００５８】
本発明の図６のプリント設定情報管理テーブル６００、および優先順位管理テーブル６１０において、プリント設定情報として、「解像度」「レイアウト」「色情報」を例に説明を行ったが、それ以外のプリント設定情報を用いても、同様の処理を行えることは容易に想像できる。
【００５９】
本発明の図７で示した再印刷処理において、Ｓ７００５においてユーザが指定したプリント設定条件と、検索結果のプリントデータのプリント設定とを比較して、プリント設定条件が全て一致するものが存在しない場合の処理として、複写機１０は、インデックス記録部４５２内に記録されている優先順位管理テーブル６１０にしたがって、優先順位の高いプリント設定項目が近いプリントデータ順に検索結果の順序を並べ替えた結果１番近いプリントデータを自動的に選択して、再印刷処理を行えることは容易に想像できる。
【００６０】
本発明の図７で示した再印刷処理において、Ｓ７０１０のステップ、及びＳ７０１１のステップのどちらか一方、あるいは両方のステップを省略しても、同様の処理を行えることは容易に想像できる。
【００６１】
本発明の図７で示した再印刷処理において、Ｓ７０１１のステップでは一例としてプリントデータサイズに対して本システムの管理者などが設定した閾値を超えているかどうかを判断したが、プリントデータサイズに限定されるものではなく、例えばプリントの色情報がモノクロのみ印刷可能、あるいはページ数が閾値以内で印刷可能などの、異なるプリント設定に対して判断を行っても同様の処理を行えることは容易に想像できる。同様に本発明の図８で示した印刷処理において、Ｓ８００８のステップでも同様に異なるプリント設定に対して判断を行っても同様の処理を行えることは容易に想像できる。
【図面の簡単な説明】
【００６２】
【図１】本発明の一実施形態であるネットワーク対応型複写機を含むネットワーク画像処理システムの概略構成を示す図である。
【図２】複写機（ＭＦＰ）１０のハードウェアの内部構成を示したものである。
【図３】クライアント３０のハードウェアの内部構成を示したものである。
【図４】複写機（ＭＦＰ）１０のシステムの内部構成を示したものである。
【図５】クライアント３０のシステムの内部構成を示したものである。
【図６】プリント設定情報管理テーブル、および優先順位管理テーブル及びのデータ構造概念テーブルと、検索結果画面をそれぞれ示したものである。
【図７】本発明の再印刷処理を示すフローチャートである。
【図８】本発明の印刷処理を示すフローチャートである。
【符号の説明】
【００６３】
１０  複写機
２０  ＬＡＮ
３０、４０  クライアント
４０１  複写機１０のＣＰＵ
４０２  複写機１０のＲＯＭ
４０３  複写機１０のＲＡＭ
４０４  複写機１０のシステムバス
４０５  複写機１０の外部入力コントローラ（ＰＡＮＥＬＣ）
４０６  複写機１０のディスプレイコントローラ（ＤＩＳＰＣ）
４０７  複写機１０のディスクコントローラ（ＤＫＣ）
４０８  複写機１０のネットワークインタフェースカード（ＮＩＣ）
４０９  複写機１０の各種ボタンあるいはタッチパネル
４１０  複写機１０の表示モジュール（ＤＩＳＰＬＡＹ）
４１１  複写機１０の大規模記憶装置
４１２  複写機１０のタイマ
４１３  複写機１０のスキャナコントローラ（ＳｃａｎｎｅｒＣ）
４１４  複写機１０のスキャナ
４１５  複写機１０のプリンタコントローラ（ＰｒｉｎｔｅｒＣ）
４１６  複写機１０のプリンタ
４５０  複写機１０の中央処理部
４５１  複写機１０の記録部
４５２  複写機１０のインデックス情報記録部
４５３  複写機１０のＵＩ制御部
４５４  複写機１０のデバイス制御部
４５５  複写機１０の外部通信制御部
４５６  複写機１０の検索処理部
４５９  複写機１０のデータ記録部
５０１  クライアント３０のＣＰＵ
５０２  クライアント３０のＲＯＭ
５０３  クライアント３０のＲＡＭ
５０４  クライアント３０のシステムバス
５０５  クライアント３０の外部入力コントローラ（ＰＡＮＥＬＣ）
５０６  クライアント３０のディスプレイコントローラ（ＤＩＳＰＣ）
５０７  クライアント３０のディスクコントローラ（ＤＫＣ）
５０８  クライアント３０のネットワークインタフェースカード（ＮＩＣ）
５０９  クライアント３０のキーボードなどの入力インターフェース手段
５１０  クライアント３０の液晶ディスプレイなどの表示モジュール（ＤＩＳＰＬＡＹ）
５１１  クライアント３０の大規模記憶装置
５１２  クライアント３０のタイマ
５５０  クライアント３０の中央処理部
５５１  クライアント３０の記録部
５５２  クライアント３０のユーザ認証情報記録部
５５３  クライアント３０のＵＩ制御部
５５５  クライアント３０の外部通信制御部
６００  プリント設定情報管理テーブル
６１０  優先順位管理テーブル
６２０  検索結果画面
ＰＳ６０１、ＰＳ６０２、ＰＳ６０３、ＰＳ６０４  プリント設定情報
【図１】
2007188227.tif 000003
【図２】
2007188227.tif 000004
【図３】
2007188227.tif 000005
【図４】
2007188227.tif 000006
【図５】
2007188227.tif 000007
【図６】
2007188227.tif 000008
【図７】
2007188227.tif 000009
【図８】
2007188227.tif 000010